(57)【要約】  本発明は、ホーム設備（７）に関する。本発明の実施形態に従って、ホーム設備は、特定のモバイル・デバイス（１）のためのハンドオーバ状態を検出するための検出手段を有して、ホーム・セル（Ａ）を動作させるように構成された無線アクセス・ノード（２）と、特定のモバイル・デバイスがローカル・データ・ネットワーク（１１）に接続するための少なくとも１つの有効なデータ・ベアラ接続をサポートするローカル・データ・ゲートウェイ（３）とを含み、ローカル・データ・ゲートウェイは、前記ハンドオーバ状態の検出時に、少なくとも１つの有効なデータ・ベアラ接続のディアクティベーションをトリガするための解放手段を含む。本発明はまた、ネットワーク・リソースを解放するための方法に関する。
2013542658.tif 000002
【特許請求の範囲】
【請求項１】
特定のモバイル・デバイス（１）のためのハンドオーバ状態を検出するための検出手段を有して、ホーム・セル（Ａ）を動作させるように構成された無線アクセス・ノード（２）と、
前記特定のモバイル・デバイスがローカル・データ・ネットワーク（１１）に接続するための少なくとも１つの有効なデータ・ベアラ接続をサポートするローカル・データ・ゲートウェイ（３）と
を含むホーム設備（７）であって、
前記ローカル・データ・ゲートウェイが、前記ハンドオーバ状態の検出時に、前記少なくとも１つの有効なデータ・ベアラ接続のディアクティベーションをトリガするための解放手段を含む、
ホーム設備（７）。
【請求項２】
前記ローカル・データ・ゲートウェイによる、前記少なくとも１つの有効なデータ・ベアラ接続の前記ディアクティベーションの完了時に、前記無線アクセス・ノードが、前記特定のモバイル・デバイスのためのハンドオーバ（Ｈ１）をトリガするようにさらに構成されている、請求項１に記載のホーム設備（７）。
【請求項３】
前記少なくとも１つの有効なデータ・ベアラ接続の前記ディアクティベーションが、ベアラ・ディアクティベーション要求（ベアラ削除要求）をサービス・データ・ゲートウェイ（５）に発行することによってトリガされる、請求項１または２に記載のホーム設備（７）。
【請求項４】
前記無線アクセス・ノードおよび前記ローカル・データ・ゲートウェイが、ロング・ターム・エボリューションＬＴＥ技術に従って動作する、請求項１乃至３のいずれか１項に記載のホーム設備（７）。
【請求項５】
前記無線アクセス・ノードおよび前記ローカル・データ・ゲートウェイが、ユニバーサル・モバイル・テレコミュニケーション・システムＵＭＴＳ技術に従って動作する、請求項１乃至３のいずれか１項に記載のホーム設備（７）。
【請求項６】
ネットワーク・リソースを解放するための方法であって、
ホーム・セル（Ａ）を動作させるように構成された無線アクセス・ノード（２）が、特定のモバイル・デバイス（１）のためのハンドオーバ状態を検出するステップと、
−  前記特定のモバイル・デバイスがローカル・データ・ネットワーク（１１）に接続するための少なくとも１つの有効なデータ・ベアラ接続をサポートするローカル・データ・ゲートウェイ（３）が、前記ハンドオーバ状態の検出時に、前記少なくとも１つの有効なデータ・ベアラ接続のディアクティベーションをトリガするステップと
を含む方法。
【請求項７】
前記ローカル・データ・ゲートウェイによる、前記少なくとも１つの有効なデータ・ベアラ接続の前記ディアクティベーションの完了時に、前記無線アクセス・ノードが前記特定のモバイル・デバイスのためのハンドオーバ（Ｈ１）をトリガするステップを、さらに含む請求項６に記載の方法。
【請求項８】
前記トリガするステップが、ベアラ・ディアクティベーション要求（ベアラ削除要求）をサービス・データ・ゲートウェイ（５）に発行するステップを含む、請求項６または７に記載の方法。
【発明の詳細な説明】
【技術分野】
【０００１】
本発明は、モバイル・デバイスがホーム・セルを離れるときの、データ・ベアラ接続の解放に関する。
【背景技術】
【０００２】
ローカルＩＰアクセス（ＬＩＰＡ）は、ＩＰ対応モバイル・デバイスが、ホーム基地局によって動作されるフェムトセルのエア・インターフェースを使用して、加入者のローカル・エリア・ネットワーク（ＬＡＮ）、ならびにインターネットに直接アクセスするための能力であり、そのようなホーム基地局は、ユニバーサル・モバイル・テレストリアル・システム（ＵＭＴＳ）のためのホーム・ノードＢ（ＨＮＢ）、またはロング・ターム・エボリューション（ＬＴＥ）のためのホーム進化型ノードＢ（ＨｅＮＢ）などである。
【０００３】
携帯情報端末（ＰＤＡ）、スマートフォン、およびネットブックによって動く、より早くより高い容量の装置につながれた、電子メール、ソーシャル・ネットワーキング・サイト、ブログ、ＲＳＳフィード、マルチメディア呼、ストリーミング・ビデオ、およびオンライン音楽を介したオンラインで利用可能なコンテンツは、増加の一途をたどっており、高速モバイル・ネットワーク・インフラストラクチャを使用したインターネット・データアクセスの需要におけるブームを引き起こしている。
【０００４】
結果として、多くのオペレータが、帯域幅およびネットワーク容量の限界に直面しており、したがって、既存のネットワーク・インフラストラクチャに膨大な負担をかけている。それ故、オペレータは、アクセス・ネットワーク上の、ならびにネットワークのコアにおける、既存のネットワーク容量を著しく増やすことに投資している。アクセス・ネットワーク側では、Ｈ（ｅ）ＮＢを導入して、ホーム・ユーザが、コアネットワークへのローカルＩＰバックホール・リンクを使用するＨ（ｅ）ＮＢを通して、ネットワークにアクセスするのを許容することにより、無線スペクトルの効率的な使用を保証する。しかしながら、このことは、コアネットワーク・ノードにますます多量のストレスをかける。というのは、コアネットワークにより多くのＨ（ｅ）ＮＢが接続されることは、これらのノードが飛躍的に高まるトラフィックを処理しなければならないことを意味するからである。
【０００５】
Ｈ（ｅ）ＮＢは、通常、ＩＳＰのブロードバンド・リンクを使用して、コアネットワークへのバックホール接続性を提供するので、ＨＮＢを介して生成されたＩＰトラフィックがＩＳＰのネットワークを通してルーティングされた場合には、コアネットワーク・ノードにかかるストレスを軽減することになる。これはまた、宛先に届くためにＩＰデータによって取られるホップの数も減少させることになる。別の利点は、モバイル・オペレータのコアネットワークを介する必要なしに、ローカル・サブネット内で他のデバイスと通信する能力であり、それにより、ローカル・トラフィックを真にローカルに保つ。
【０００６】
ＬＩＰＡは、ホーム・ネットワークまたはエンタープライズ・ネットワークにおいて、ＩＰネットワークへのＳＧｉインターフェースを提供するローカル・データ・ゲートウェイ（Ｌ−ＧＷ）を使用する。第３世代パートナーシップ・プロジェクト（３ＧＰＰ）のリリース１０において、Ｌ−ＧＷは、もっぱらＨ（ｅ）ＮＢとコロケート（ｃｏｌｌｏｃａｔｅ）され得るものであり、常にＨ（ｅ）ＮＢとコロケートされている。
【０００７】
Ｈ（ｅ）ＮＢが１つのＬＩＰＡ接続を有するとき、リリース１０における１つの問題は、ホーム・セルからの発信ハンドオーバの処理である。実際、リリース１０では、発信ハンドオーバにおいてＬＩＰＡ接続は切断されなければならず、継続することはできない。したがって、この接続を切断するために、必要な手段を見出さなければならない。
【０００８】
３ＧＰＰにおいて、これまで論じられている最もよい既存のソリューションは、コアネットワーク、すなわち、ＵＭＴＳのサービング・ゲートウェイ・サポート・ノード（ＳＧＳＮ）、またはＬＴＥのモビリティ管理エンティティ（ＭＭＥ）に、それらが発信ハンドオーバを通知されたとき、ＬＩＰＡパケット・データ・ネットワーク（ＰＤＮ）接続のディアクティベーションをトリガさせることである。
【０００９】
しかしながら、このソリューションは、ＳＧＳＮまたはＭＭＥが、ハンドオーバに気付くために再配置に関わることを含意するので、十分とは言えない。実際、別のホーム・セルに向けた発信ハンドオーバがトリガされるとき、移動に気付かないままでいるＳＧＳＮまたはＭＭＥを介したハンドオーバ・シグナリングが、進まないことがある。このケースでは、ＳＧＳＮまたはＭＭＥは、ＬＩＰＡ接続のディアクティベーションをトリガすることができない。
【００１０】
加えて、ハンドオーバに気付いた場合であっても、ＳＧＳＮまたはＭＭＥによるディアクティベーションは、ハンドオーバの最中またはハンドオーバ後のいずれかに行われることになり、一方でＬＩＰＡリソースがターゲット側で許可されていないために、タイミングが適切でないことがある。
【発明の概要】
【発明が解決しようとする課題】
【００１１】
本発明の目的は、あるホーム・セルから別のホーム・セルに向けて、モバイル・デバイスがハンドオーバする場合に、ＬＩＰＡ  ＰＤＮ接続の効果的で首尾一貫した解放を提供することである。
【課題を解決するための手段】
【００１２】
本発明の第１の態様に従って、ホーム設備（ｈｏｍｅ  ａｒｒａｎｇｅｍｅｎｔ）が、
−  特定のモバイル・デバイスのためのハンドオーバ状態を検出するための検出手段を有して、ホーム・セルを動作させるように構成された無線アクセス・ノードと、
−  前記特定のモバイル・デバイスがローカル・データ・ネットワークに接続するための少なくとも１つの有効なデータ・ベアラ接続をサポートするローカル・データ・ゲートウェイと
を含み、
前記ローカル・データ・ゲートウェイが、前記ハンドオーバ状態の検出時に、前記少なくとも１つの有効なデータ・ベアラ接続のディアクティベーションをトリガするための解放手段を含む。
【００１３】
本発明の別の態様に従って、ネットワーク・リソースを解放するための方法が、
−  ホーム・セルを動作させるように構成された無線アクセス・ノードが、特定のモバイル・デバイスのためのハンドオーバ状態を検出するステップと、
−  前記特定のモバイル・デバイスがローカル・データ・ネットワークに接続するための少なくとも１つの有効なデータ・ベアラ接続をサポートするローカル・データ・ゲートウェイが、前記ハンドオーバ状態の検出時に、前記少なくとも１つの有効なデータ・ベアラ接続のディアクティベーションをトリガするステップと
を含む。
【００１４】
本基本概念は、ハンドオーバ状態が検出されたモバイル・デバイスに関連付けられたすべてのＬＩＰＡ  ＰＤＮ接続の解放を、ＳＧＳＮまたはＭＭＥにトリガさせる代わりに、Ｈ（ｅ）ＮＢにトリガさせることである。ハンドオーバ状態は、構成された測定ポリシーに応じて、モバイル・デバイスにより検出されてＨ（ｅ）ＮＢに報告されてもよいし、または、Ｈ（ｅ）ＮＢによって検出されてもよい。Ｈ（ｅ）ＮＢのＲＡＮ部分が、そのＬ−ＧＷ部分と内部的に通信し、その結果、Ｌ−ＧＷ部分は、ネットワーク起動のＬＩＰＡ  ＰＤＮ接続の解放をトリガする。Ｌ−ＧＷは、Ｈ（ｅ）ＮＢにコロケートされているので、それは、あたかもＨ（ｅ）ＮＢがＬＩＰＡ  ＰＤＮ接続それ自体をディアクティベートしたかのようである。
【００１５】
本発明に従ったホーム設備の一実施形態において、前記ローカル・データ・ゲートウェイによる、前記少なくとも１つの有効なデータ・ベアラ接続のディアクティベーションの完了時に、前記無線アクセス・ノードは、前記特定のモバイル・デバイスのためのハンドオーバをトリガするようにさらに構成されている。
【００１６】
本発明に従った対応する方法の実施形態において、前記方法は、前記ローカル・データ・ゲートウェイによる、前記少なくとも１つの有効なデータ・ベアラ接続のディアクティベーションの完了時に、前記無線アクセス・ノードが前記特定のモバイル・デバイスのためのハンドオーバをトリガするステップを、さらに含む。
【００１７】
ＬＩＰＡ  ＰＤＮ接続が解放されると、Ｌ−ＧＷは、Ｈ（ｅ）ＮＢに内部的に知らせることができ、その結果、Ｈ（ｅ）ＮＢは、ハンドオーバ手順をトリガし、実行することができる。
【００１８】
本発明に従ったホーム設備の一実施形態において、前記少なくとも１つの有効なデータ・ベアラ接続の前記ディアクティベーションは、ベアラ・ディアクティベーション要求をサービス・データ・ゲートウェイに発行することによってトリガされる。
【００１９】
本発明に従った対応する方法の実施形態において、前記トリガするステップは、ベアラ・ディアクティベーション要求をサービス・データ・ゲートウェイに発行するステップを含む。
【００２０】
さらに特徴的な実施形態は、添付の特許請求の範囲において言及される。
【００２１】
添付の図面と併用される以下の実施形態の説明を参照することによって、本発明の上の、ならびに他の目的および特徴はより明らかとなり、本発明それ自体が最もよく理解されるだろう。
【図面の簡単な説明】
【００２２】
【図１】ＬＴＥモバイル通信システムを表す図である。
【図２】２つのホーム・セルを含む無線カバレッジ・エリアを表す図である。
【図３】ＬＩＰＡ  ＰＤＮ接続の解放の間にやり取りされるメッセージのメッセージ・フロー図である。
【発明を実施するための形態】
【００２３】
図１は、以下の要素を含む、ＬＴＥモバイル通信システムを表す。
【００２４】
ユーザ装置（ＵＥ）１が、ＨｅＮＢ設備７を介して、オペレータのネットワークと通信している。ＨｅＮＢ設備７は、標準的なＨｅＮＢ無線部２から構成されるが、加えて、ＬＩＰＡモードで動作することを可能にする、コロケートされたＬ−ＧＷ機能３を有する。
【００２５】
ＨｅＮＢ設備７は、サービングＧＷ（Ｓ−ＧＷ）５およびＭＭＥ４と通信する。Ｓ−ＧＷ５は、そのＳＧｉインターフェースによりＩＰ外部ネットワーク１２へのアクセスを提供するＰＤＮ  ＧＷ（Ｐ−ＧＷ）６と通信する。
【００２６】
Ｌ−ＧＷ３は、同様にＳＧｉインターフェースを介して、ＬＡＮ１１へのアクセスを提供する。
【００２７】
図示の例のように、ＵＥ１は、２つのＰＤＮ接続を介して通信しているものとして示されている。１つまたは複数の進化型パケットシステム（ＥＰＳ）ベアラが、これらのＰＤＮ接続のそれぞれのために、立ち上がり、稼働している。これらのＥＰＳベアラは、以下のように、すべてのインターフェースにわたる。
【００２８】
図１の例において、Ｐ−ＧＷ６に向かう第１のＥＰＳベアラは、Ｓ５ベアラ２１、Ｓ１−Ｕベアラ２２、およびＵｕベアラ２３から構成される。関連するコンテキストである、Ｐ−ＧＷ６におけるコンテキスト４２、Ｓ−ＧＷ５における４３、ＭＭＥ４における４４、およびＵＥ１における４１が存在する。
【００２９】
Ｌ−ＧＷ３に向かう第２のＥＰＳベアラは、Ｓ５ベアラ３１、Ｓ１−Ｕベアラ３２、およびＵｕベアラ３４から構成される。ＬＩＰＡが動作されるので、ダイレクト・ユーザ・プレーン・パス３３もまた、ＨｅＮＢ設備７内の、ＨｅＮＢ２とコロケートされているＬ−ＧＷ３との間に存在する。関連するコンテキストである、Ｌ−ＧＷ３における５２、Ｓ−ＧＷ５における５３、ＭＭＥ４における５４、およびＵＥ１における５１が存在する。
【００３０】
ベアラ２２、２３、３２、３３、および３４は、ＵＥ１がアイドル・モードに切り替わるときに解放される。他のベアラおよび前述のコンテキストは、存続する。
【００３１】
接続モードの間、ＨｅＮＢ２は（あらゆるｅＮＢ無線ノードのように）、たとえば、ＵＥ１からのなんらかの測定報告に基づいて、ハンドオーバをトリガすることを決定できる。ＨｅＮＢ２は、好適なターゲット・セル、およびやはりＨｅＮＢであってもよい関連したｅＮＢを識別する。
【００３２】
図２において、ＨｅＮＢ２によって動作されるセルＡから、別のＨｅＮＢによって動作されるセルＢへの、そのようなハンドオーバの例が示されている。
【００３３】
ＵＥ１は、接続モードにあり、ホーム・セルＡのカバレッジ・エリア内の位置ａにおいて、２つのアクティブなＰＤＮ接続を使用する。
【００３４】
ＵＥ１は次に、通信セッションが進行中である間に、位置ｃに向かって移動する。
【００３５】
位置ｂにおいて、ホーム・セルＢからの無線信号は、ホーム・セルＡからの無線信号よりも低いパスロスを受ける。それぞれのパスロスの差が、なんらかの構成されたハンドオーバ・マージンを超えたという条件で、アウトバウンド・ハンドオーバＨ１が、ホーム・セルＢに向かう進行中セッションをハンドオーバするためにトリガされる。
【００３６】
ＵＥ１のためのハンドオーバをトリガする前に（または同時であってもよい）、ソースＨｅＮＢ２は、そのコロケートされているＬ−ＧＷ３に、ＵＥ１が有するＰＤＮ接続のディアクティベーションを、Ｌ−ＧＷ３を用いてトリガするように知らせる。Ｌ−ＧＷ３によってトリガされるディアクティベーション手順（ＰＤＮ  ＧＷ起動のベアラ・ディアクティベーション手順）が、図３に示されている。
【００３７】
したがって、Ｌ−ＧＷ３は、ベアラ削除要求メッセージをＳ−ＧＷ５に送信する。Ｓ−ＧＷ５は次いで、ベアラ削除要求メッセージをＭＭＥ４に送信する。ベアラ削除要求メッセージを受信すると、ＭＭＥ４は、ディアクティベート・ベアラ要求メッセージをＨｅＮＢ２に送信し、ＨｅＮＢ２は次いで、該当するベアラ（これは実際にはＬＩＰＡ接続に対応する）を解放するために、対応するＲＲＣ再構成手順をトリガする。
【００３８】
ＨｅＮＢ２は、ディアクティベートＥＰＳベアラ・コンテキスト受け入れメッセージを含んで、ＭＭＥ４に返答する。ＭＭＥ４は、必要であればＨＳＳに通知し、次いでＳ−ＧＷ５およびＬ−ＧＷ３は、それぞれのベアラ削除応答メッセージによって、手順の完了が成功したことを知らされる。
【００３９】
本例示的な呼のフローでは、ディアクティベーションが成功すると、Ｌ−ＧＷ３が、ＨｅＮＢ２に成功を再び知らせることができ、その結果、ＨｅＮＢ２は、ホーム・セルＢに向かうＵＥ１のためのハンドオーバ手順をトリガすることができる。
【００４０】
同じ説明は、たとえば、ＭＭＥ４およびＳ−ＧＷ５がＳＧＳＮに統合されているＵＭＴＳネットワークに、同様のメカニズムを使用して、適用される。
【００４１】
用語「ｃｏｍｐｒｉｓｉｎｇ」（含む）は、そこに挙げられた手段に限定されるものとして解釈するべきでないことに注意されたい。したがって、「手段ＡおよびＢを含むデバイス」という表現の範囲は、コンポーネントＡおよびＢのみからなるデバイスに限定されるべきではない。それは、本発明に関しては、そのデバイスの該当するコンポーネントがＡおよびＢであることを意味する。
【００４２】
本説明および図面は、本発明の原理を例示しているにすぎない。したがって、当業者は、本明細書において明示的に説明または図示されていなくとも、本発明の原理を実施し、その趣旨および範囲内に含まれる、さまざまな構成（ａｒｒａｎｇｅｍｅｎｔ）を考案することができると認識されるであろう。さらに、本明細書に挙げられたすべての例は、主として、本発明の原理、および当技術分野の促進に対して本発明者が貢献する発想を、読者が理解するのを支援するための教育的な目的のみであることを明白に意図するものであり、そのような具体的に挙げられた例および条件に限定されないものとして解釈するべきである。さらに、本発明の原理、態様および実施形態、ならびにその特定の例を挙げた本明細書におけるすべての記述は、その均等物を包含することが意図される。
【００４３】
図面において示されるさまざまな要素の機能は、専用ハードウェア、ならびに適切なソフトウェアと関連してソフトウェアを実行することができるハードウェアの使用を通して提供されてよい。プロセッサによって提供される場合、機能は、単一の専用プロセッサによって、単一の共有プロセッサによって、またはそのうちのいくつかが共有され得る複数の個々のプロセッサによって、提供されてもよい。さらに、プロセッサは、ソフトウェアを実行することができるハードウェアを独占的に指すように解釈するべきではなく、暗黙的には、限定せずに、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）などを含むことができる。従来型のおよび／またはカスタムの、他のハードウェア、たとえば、読み出し専用メモリ（ＲＯＭ）、ランダム・アクセス・メモリ（ＲＡＭ）、および不揮発性記憶装置がまた含まれてもよい。
【図１】
2013542658.tif 000003
【図２】
2013542658.tif 000004
【図３】
2013542658.tif 000005
【国際調査報告】
2013542658.tif 000006
2013542658.tif 000007
2013542658.tif 000008